(57)【要約】【課題】  簡単な構成で、例えば木目柄等の装飾にバラツキがなく、即ち、美観性（統一感）が確保出来、且つ、生産性及び歩留まりも確保することが出来るスライド型扉用取手を得る。【解決手段】  本考案に係るスライド型扉用取手１は、底面２ａを有する第一の筒状部材２と、底面２ａの略全面を覆うように載置された平板部材３と、第一の筒状部材２の内側周側面２ｂに略当接する外側周側面４ａを有し、第一の筒状部材２の開口部２ｃに対向する側の端部にはフランジ部４ｂが形成され、他方の端部は平板部材３と略当接してなる第二の筒状部材４とから構成してなる。【選択図】  図３
0003129222.tif 000002
【実用新案登録請求の範囲】
【請求項１】
底面を有する第一の筒状部材と、
前記第一の筒状部材の内側底面の略全面を覆うように載置された平板部材と、
前記第一の筒状部材の内側周側面に略当接する外側周側面を有し、前記第一の筒状部材の開口部に対向する側の端部には外側に所定の長さ延在するフランジ部が形成され、他方の端部は前記平板部材と略当接してなる第二の筒状部材と
から構成されたことを特徴とするスライド型扉用取手。
【請求項２】
前記平板部材の表面に装飾層を有した
ことを特徴とする請求項１に記載のスライド型扉用取手。
【請求項３】
前記装飾層は、木目調である
ことを特徴とする請求項２に記載のスライド型扉用取手。
【請求項４】
前記装飾層は、装飾されたフィルム材である
ことを特徴とする請求項２乃至請求項３の何れかに記載のスライド型扉用取手。
【請求項５】
前記第一の筒状部材の開口部側の端部全周には、外側に湾曲した湾曲面が形成されている
ことを特徴とする請求項１乃至請求項４の何れかに記載のスライド型扉用取手。
【請求項６】
前記第二の筒状部材の前記平板部材と略当接する側の端部全周には、内側に湾曲した湾曲面が形成されている
ことを特徴とする請求項１乃至請求項５の何れかに記載のスライド型扉用取手。
【請求項７】
前記第一の筒状部材の内側周側面の径は、前記第二の筒状部材の外側周側面の径より小さく設定され、
前記第二の筒状部材は前記第一の筒状部材に対し、圧入固定された
ことを特徴とする請求項１乃至請求項６の何れかに記載のスライド型扉用取手。
【請求項８】
前記フィルム材は、ポリオレフィン系の樹脂シートである
ことを特徴とする請求項４に記載のスライド型扉用取手。
【考案の詳細な説明】
【技術分野】
【０００１】
この考案は、引き違い戸や引き分け戸等のスライド型扉に使用される取手に関し、特に、例えば和室等のスライド型扉に使用される木目調の取手に関する。
【背景技術】
【０００２】
従来のスライド型扉用取手について、図５を用いて説明する。
【０００３】
図５（ａ）及び（ｂ）は、従来のスライド型扉に使用される取手の斜視図である。
【０００４】
２１は、スライド型扉用取手であり、木材の切削加工により形成されている。従って、図５（ａ）に示す２１ａ、（ｂ）に示す２１ｂの通り、自然物たる木材の切削ということから、必然的に木目柄にバラツキを持つものである。
【考案の開示】
【考案が解決しようとする課題】
【０００５】
上述したスライド型扉用取手２１は、例えば和室の襖に使用される取手等木目調が美観上求められる際に使用される。
【０００６】
しかしながら、上述した通り、自然物たる木材の切削により形成される為、必然的に木目柄にバラツキを持ってしまう。
【０００７】
そこで、従来は、このようなバラツキの許容範囲を設定し、実用化（量産）されていた。
【０００８】
従って、当該バラツキ許容範囲を大きく設定すると、美観面が大きく損なわれてしまうという問題があった。一方、当該バラツキ許容範囲を小さく設定しすぎると、歩留まりが低下し、生産性の低下という問題、低コスト化の妨げという問題があった。又、歩留まりを確保しつつ、美観性も確保する為には、同一場所の複数のスライド型扉に使用される取手の木目柄を近しいものにするべく、選別作業を強いられるという迂遠さがあった。
【０００９】
この考案は、上述のような課題を解決する為になされたものであり、簡単な構成で、例えば木目柄等の装飾にバラツキがなく、即ち、美観性（統一感）が確保出来、且つ、生産性及び歩留まりも確保することが出来るスライド型扉用取手を得るものである。
【課題を解決するための手段】
【００１０】
請求項１に記載の考案に係るスライド型扉用取手は、底面を有する第一の筒状部材と、前記第一の筒状部材の内側底面の略全面を覆うように載置された平板部材と、前記第一の筒状部材の内側周側面に略当接する外側周側面を有し、前記第一の筒状部材の開口部に対向する側の端部には外側に所定の長さ延在するフランジ部が形成され、他方の端部は前記平板部材と略当接してなる第二の筒状部材とから構成されたことを特徴とする。
【００１１】
請求項２に記載の考案は、請求項１に記載のスライド型扉用取手において、前記平板部材の表面に装飾層を有したことを特徴とする。
【００１２】
請求項３に記載の考案は、請求項２に記載のスライド型扉用取手において、前記装飾層は、木目調であることを特徴とする。
【００１３】
請求項４に記載の考案は、請求項２乃至請求項３の何れかに記載のスライド型扉用取手において、前記装飾層は、装飾されたフィルム材であることを特徴とする。
【００１４】
請求項５に記載の考案は、請求項１乃至請求項４の何れかに記載のスライド型扉用取手において、前記第一の筒状部材の開口部側の端部全周には、外側に湾曲した湾曲面が形成されていることを特徴とする。
【００１５】
請求項６に記載の考案は、請求項１乃至請求項５の何れかに記載のスライド型扉用取手において、前記第二の筒状部材の前記平板部材と略当接する側の端部全周には、内側に湾曲した湾曲面が形成されていることを特徴とする。
【００１６】
請求項７に記載の考案は、請求項１乃至請求項６の何れかに記載のスライド型扉用取手において、前記第一の筒状部材の内側周側面の径は、前記第二の筒状部材の外側周側面の径より小さく設定され、前記第二の筒状部材は前記第一の筒状部材に対し、圧入固定されたことを特徴とする。
【００１７】
請求項８に記載の考案は、請求項４に記載のスライド型扉用取手において、前記フィルム材は、ポリオレフィン系の樹脂シートであることを特徴とする。
【考案の効果】
【００１８】
この考案は、上記の構成としたことにより、以下の効果を奏する。
【００１９】
請求項１の考案によれば、第一の筒状部材、第二の筒状部材、及び平板部材を組み合わせた簡単な構造とすることにより、従来のような木材の切削加工と比して、生産性の良いスライド型扉用取手を得ることが出来る。
【００２０】
請求項２の考案によれば、平板部材に所望の装飾層を設けることにより、デザイン自由度の高いスライド型扉用取手を得ることが出来る。
【００２１】
請求項３の考案によれば、例えば印刷や塗装等の加飾技術（公知技術）により木目調を実現することにより、木目柄にバラツキのない生産が可能なスライド型扉用取手を得ることが出来る。延いては、美観性（統一感）を確保することが出来る。
【００２２】
請求項４の考案によれば、平板部材を構成する基材（例えば、板金）に対し、予め装飾されたフィルム材を貼り合わせ加工した後に打ち抜き加工等することにより、スライド型扉用取手の装飾面を形成する平板部材の生産性向上を図ることが出来る。
【００２３】
請求項５の考案によれば、第一の筒状部材に対し、第二の筒状部材を挿入嵌合させる際、第一の筒状部材に形成された湾曲面がさそい機能を発揮し、生産性の良いスライド型扉用取手を得ることが出来る。
【００２４】
請求項６の考案によれば、第一の筒状部材の底面に載置された平板部材に位置ずれがあったとしても、第二の筒状部材に形成された湾曲面が確実に平板部材と当接し、延いては、第二の筒状部材により平板部材を確実に押圧固定することが出来る。
【００２５】
請求項７の考案によれば、第二の筒状部材を第一の筒状部材に対し圧入固定することにより、接着、溶着、爪嵌合等の固定手段を必要とせず、生産性の良いスライド型扉用取手を得ることが出来る。
【００２６】
請求項８の考案によれば、フィルム材をポリオレフィン系の樹脂シートとすることにより、印刷が容易であると共に、廃棄性を確保することが出来る。
【考案を実施するための最良の形態】
【００２７】
実施の形態．
以下、本実施の形態におけるスライド型扉用取手について、図面に基づいて説明する。
【００２８】
図１は、本考案を実施する為の実施の形態におけるスライド型扉用取手の分解斜視図である。
【００２９】
図１において、１はスライド型扉用取手であり、第一の筒状部材２、平板部材３、第二の筒状部材４から構成される。
【００３０】
図２は、本考案を実施する為の実施の形態におけるスライド型扉用取手の斜視図、図３は、図２に示すＩ−Ｉ断面図である。
【００３１】
以下、第一の筒状部材２、平板部材３、第二の筒状部材４のそれぞれの形状について、図１〜図３に基づいて説明する。
【００３２】
第一の筒状部材２は、底面２ａの外周部から垂設した周側面２ｂを有す筒状部材であり、開口部２ｃ側の端部には外側に僅かに湾曲した湾曲面２ｄが全周に形成されている。尚、本実施の形態では、第一の筒状部材２は厚み０．４ｍｍ程度の黄銅等の金属板金をプレス成型により形成している。即ち、周側面２ｂは、金属板金の絞り加工により形成される。
【００３３】
平板部材３は、基材である３ａの片面に装飾層であるフィルム材３ｂが貼り付けされて構成されている。尚、本実施の形態では、基材３ａは厚み０．４ｍｍ程度の黄銅等の金属板金であり、フィルム材３ｂは厚み０．１５ｍｍ程度のポリオレフィン系の樹脂シート（例えば、ＰＥＴ：PolyEthylene Terephthalate）に木目調の印刷を施したものである。
【００３４】
平板部材３は、以下の生産工程により生産される。
【００３５】
フィルムシート（フィルム材３ｂに相当）に所望のデザイン（本実施の形態では木目調）を印刷する。次に、当該デザイン加飾されたフィルムシートを金属板金（基材３ａに相当）に接着材や粘着材により貼り合わせる。次に、当該フィルムシートが貼り合わされた当該金属板金をプレス加工により順次打ち抜く。以上の工程を経て、平板部材３を得る。
【００３６】
尚、本実施の形態における基材３ａは金属板金に限らず、例えば、樹脂フィルムでも良く、材質は限定されるものではない。又、フィルム材３ｂは、例えば、ＰＣ（PolyCarbonate）やＡＢＳ（Acrylonitrile Butadiene Styrene）等のシート材でも良く、又、金属板金でも良いが、ポリオレフィン系の樹脂シートを採用することが、印刷が容易となり、且つ、廃棄処分が容易となる点から好ましい。更に、本実施の形態における平板部材３は基材３ａとフィルム材３ｂの２層構成としたが、これに限らず、例えば、装飾面を有した基材のみで構成しても良い。
【００３７】
第二の筒状部材４は、周側面４ａの一端部から外側に所定の長さ延在したフランジ部４ｂが当該端部全周に形成され、又、他方の端部から内側に湾曲した湾曲面４ｃが当該端部全周に形成されてなる筒状（円筒）部材である。
【００３８】
尚、第二の筒状部材４は厚み０．４ｍｍ程度の黄銅等の金属板金をプレス成型により形成している。即ち、周側面４ａは、金属板金の絞り加工により形成される。又、第二の筒状部材４は、図３に示す通り、フランジ部４ｂの上面、周側面４ｂの内側面に焼き付け塗装層４ｄを有す。
【００３９】
本実施の形態では、スライド型扉用取手１の外観（美観）性向上を目的とし、焼き付け塗装を行っているが、これに限らず、低コスト化を図るべく、当該塗装を無くした構成でも良い。
【００４０】
本実施の形態では、第一の筒状部材２、第二の筒状部材４を共に、プレス成形（絞り加工）により形成しているが、これに限らず、例えば、ロール成型等でも良い。
【００４１】
以下、スライド型扉用取手１の組み立て工程について説明する。
【００４２】
まず、第一の筒状部材２の底面２ａの内径よりやや小さく設計された平板部材３を、フィルム材３ｂが上面となる状態にて、開口部２ｃから挿入し、底面２ａに載置する。この時、本実施の形態では、予め、平板部材３の基材３ａに両面テープ等を貼付しておき、底面２ａに対し仮固定されるようにしている。これにより、次工程に進むまでに、例えば、第一の筒状部材２を天地反転させた場合にでも平板部材３が脱落しないようにしている。もっとも、このような仮工程は必須の工程ではなく、省略しても良い。
【００４３】
次に、第二の筒状部材４を第一の筒状部材２の開口部２ｃから挿入する。本実施の形態では、第一の筒状部材２の内側周側面２ｂの径は、第二の筒状部材４の外側周側面４ａより僅かに小さく設計しているが、湾曲面２ｄがさそい機能を発揮することにより、圧入状態に挿入することが出来るように工夫している。
【００４４】
そして、第二の筒状部材４の湾曲面４ｃが平板部材３に当接するまで、第二の筒状部材４を第一の筒状部材２に対して押し込む。尚、本実施の形態では、当該押し込まれた状態において、第二の筒状部材４のフランジ部４ｂは、第一の筒状部材２の湾曲面２ｄに略当接するように、寸法設計されている。
【００４５】
以上により、組み立て工程は完了し、スライド型扉用取手１を得る。
【００４６】
尚、第二の筒状部材４の湾曲面４ｃは、第一の筒状部材２の内側周側面２ｂと平板部材３の周端面との間に発生する隙間に、第二の筒状部材４の周側面４ａの端部が落ち込むことを防止し、確実に平板部材３の外全周を押圧し、平板部材３の本固定を行う機能を有す。又、平板部材３の外周端部が露出することを防止し、外観良好なスライド型扉用取手１を得る機能も有す。
【００４７】
又、第二の筒状部材４のフランジ部４ｂは、第一の筒状部材２の湾曲面２ｄが露出することを防止し、且つ、襖（図示せず）等にスライド型扉用取手１を装着する際の当接面としての機能を有す。
【００４８】
尚、本実施の形態におけるスライド型扉用取手１では、第一の筒状部材２に対する第二の筒状部材４の固定を圧入としたが、これに限らず、接着、溶着、爪嵌合等でも良い。
【００４９】
又、本実施の形態におけるスライド型扉用取手１では、上面（図２参照）から見て、円形としたが、これに限らず、図４に示すような矩形でも良い。
【００５０】
その他、本考案の要旨を変更しない限りにおいて、各構成部品の材質、寸法等は適宜定めることが可能であることは言うまでもない。
【００５１】
以上に説明した通り、本実施の形態におけるスライド型扉用取手１では、簡単な構成で、例えば木目柄等の装飾にバラツキがなく、即ち、美観性（統一感）が確保出来、且つ、生産性及び歩留まりも確保することが出来る。
【図面の簡単な説明】
【００５２】
【図１】本考案を実施する為の実施の形態におけるスライド型扉用取手の分解斜視図である。
【図２】本考案を実施する為の実施の形態におけるスライド型扉用取手の斜視図である。
【図３】図２に示すＩ−Ｉ断面図である。
【図４】本考案を実施する為の実施の形態におけるスライド型扉用取手の変形例を示す斜視図である。
【図５】従来のスライド型扉に使用される取手の斜視図である。
【符号の説明】
【００５３】
１  スライド型扉用取手
２  第一の筒状部材
２ａ  第一の筒状部材の底面
２ｂ  第一の筒状部材の内側周側面
２ｃ  第一の筒状部材の開口部
２ｄ  第一の筒状部材の湾曲面
３  平板部材
３ｂ  装飾層（フィルム材）
４  第二の筒状部材
４ａ  第二の筒状部材の外側周側面
４ｂ  第二の筒状部材のフランジ部
４ｃ  第二の筒状部材の湾曲面
【図１】
0003129222.tif 000003
【図２】
0003129222.tif 000004
【図３】
0003129222.tif 000005
【図４】
0003129222.tif 000006
【図５】
0003129222.tif 000007